(57)【特許請求の範囲】
【請求項１】
１以上のコンテンツを日付順に整列したページの少なくとも一部を画面に表示し、
前記ページに対するスクロール動作を認識し、
前記スクロール動作の速度が所定の速度以上である場合に、前記画面にクイックブラウジング制御バーを表示し、
前記クイックブラウジング制御バーが、前記画面上で移動された場合に、前記ページに対するスクロール動作を実行することを含み、
前記画面に前記クイックブラウジング制御バーが表示されていない場合には、前記整列した各日付別のコンテンツの一側に日付表示部を表示し、前記画面に前記クイックブラウジング制御バーが表示されている場合には、前記日付表示部を表示しないように制御することを特徴とする表示制御方法。
【請求項２】
前記クイックブラウジング制御バーが、前記画面上で移動された場合に、前記ページに対するスクロール動作を実行することは、
前記クイックブラウジング制御バー自体が、前記画面上で移動されることを特徴とする請求項１に記載の表示制御方法。
【請求項３】
前記クイックブラウジング制御バーは、ユーザ入力によるタッチ・アンド・ドラッグ動作によって、前記画面上で移動されることを特徴とする請求項２に記載の表示制御方法。
【請求項４】
前記タッチ・アンド・ドラッグ動作が中断された場合に、前記クイックブラウジング制御バーを、元の位置に戻すことを特徴とする請求項３に記載の表示制御方法。
【請求項５】
前記クイックブラウジング制御バーの画面中心からの隔離距離に応じて、前記スクロール動作の速度を変更することを特徴とする請求項１から請求項４のうちいずれか１項に記載の表示制御方法。
【請求項６】
前記クイックブラウジング制御バーが画面中心から遠くなるほど、前記スクロール動作の速度を速くすることを特徴とする請求項５に記載の表示制御方法。
【請求項７】
前記画面に、クイックブラウジング制御バーを表示することは、
前記クイックブラウジング制御バー内に、ページ上で現在表示されているコンテンツの位置を示すスクロール進行表示部を表示することを特徴とする請求項１から請求項６のうちいずれか１項に記載の表示制御方法。
【請求項８】
前記スクロール進行表示部は、全体コンテンツのうち、前記画面上に表示されているコンテンツの時間的位置に応じて内部が充填されるプログレスバーとして表示されることを特徴とする請求項７に記載の表示制御方法。
【請求項９】
前記画面に、クイックブラウジング制御バーを表示することは、
前記クイックブラウジング制御バー内に、前記画面上に表示されているコンテンツの日付を表示するスクロール日付表示部を表示することを特徴とする請求項１から請求項８のうちいずれか１項に記載の表示制御方法。
【請求項１０】
ユーザ入力の位置に応じて、前記クイックブラウジング制御バー内の前記スクロール日付表示部の位置を変更することを特徴とする請求項９に記載の表示制御方法。
【請求項１１】
コンピュータに、請求項１から請求項１０のうちいずれか１項に記載の方法を実行させるために、媒体に保存されたコンピュータ・プログラム。
【請求項１２】
１以上のコンテンツを日付順に整列したページに対するスクロール動作を認識するスクロール認識部と、
前記スクロール認識部からスクロール動作を認識し、スクロール動作の速度が所定の速度以上である場合に、画面上にクイックブラウジング制御バーを表示するクイックブラウジング制御バー表示部と、
前記ページの少なくとも一部を、前記画面上に表示し、前記スクロール動作によって、前記ページをスクロールし、ユーザ入力によって、前記クイックブラウジング制御バーが、前記画面上で移動された場合に、それによって、前記ページに対するスクロールを行うように制御する表示制御部と、を含み、
前記表示制御部は、前記画面に前記クイックブラウジング制御バーが表示されていない場合には、前記整列した各日付別のコンテンツの一側に日付表示部を表示し、前記画面に前記クイックブラウジング制御バーが表示されている場合には、前記日付表示部を表示しないように制御することを特徴とする表示制御装置。
【請求項１３】
前記クイックブラウジング制御バーは、ユーザ入力によるタッチ・アンド・ドラッグ動作によって、前記画面上で移動されることを特徴とする請求項１２に記載の表示制御装置。
【請求項１４】
前記クイックブラウジング制御バーの画面中心からの隔離距離に応じて、前記スクロール動作の速度を変更することを特徴とする請求項１２または請求項１３に記載の表示制御装置。
【請求項１５】
前記クイックブラウジング制御バーが画面中心から遠くなるほど、前記スクロール動作の速度を速くすることを特徴とする請求項１４に記載の表示制御装置。
【請求項１６】
前記クイックブラウジング制御バー内に、ページ上で現在表示されているコンテンツの位置を示すスクロール進行表示部を表示することを特徴とする請求項１２から請求項１５のうちいずれか１項に記載の表示制御装置。
【請求項１７】
前記クイックブラウジング制御バー内に、前記画面上に表示されているコンテンツの日付を表示するスクロール日付表示部を表示することを特徴とする請求項１２から請求項１６のうちいずれか１項に記載の表示制御装置。
【発明の詳細な説明】
【技術分野】
【０００１】
本発明は、表示制御装置、表示制御方法、及びそれをコンピュータで実行するためのコンピュータ・プログラムに関する。
【背景技術】
【０００２】
画面（ｓｃｒｅｅｎ）やパネルに表示されているページを、縦（ｖｅｒｔｉｃａｌ）方向及び／または横（ｈｏｒｉｚｏｎｔａｌ）方向に移動させることをスクロールという。スクロールを行うと、移動されて画面から消えた分だけ、反対側に新たな情報が表示される。１ページ内に表示される情報の量が、画面に表示される量より多いために、そのようなスクロール機能が頻繁に使用される。ユーザはスクロールを行いながら、画面上の情報を読み取る。コンソール、ワープロ、モバイル端末、パソコンなどの表示装置には、ほぼ例外なくスクロール機能が備えられている。
【０００３】
マウスのような外部機器が接続されている場合、ホイールを動かしたり、あるいはスクロールバーをドラッグしたりしてスクロールを行い、タッチパッドが具備されている場合、画面上のページを直接クリックまたはドラッグしてスクロールを行うことができる。
【０００４】
前述の背景技術は、発明者が本発明の導出のために保有していたり、あるいは本発明の導出過程で習得したりした技術情報であって、必ずしも本発明の出願前に、一般公衆に公開された公知技術ではない。なお、本発明の先行技術文献としては、特許文献１がある。
【先行技術文献】
【特許文献】
【０００５】
【特許文献１】韓国公開特許第２０１１−００８３０９９号公報
【発明の概要】
【発明が解決しようとする課題】
【０００６】
本発明が解決しようとする課題は、１以上のコンテンツが時系列順に整列されて表示されるページ上で、スクロールを迅速かつ容易に行うことができる表示制御装置、表示制御方法、及びそれをコンピュータで実行するためのコンピュータ・プログラムを提供することである。
【０００７】
本発明が解決しようとする課題はまた、スクロール機能に視覚的効果を付与することができる表示制御装置、表示制御方法、及びそれをコンピュータで実行するためのコンピュータ・プログラムを提供することである。
【課題を解決するための手段】
【０００８】
本発明の一実施形態は、１以上のコンテンツを時系列順に整列したページの少なくとも一部を画面に表示し、前記ページに対するスクロール動作を認識し、前記スクロールの速度が所定の速度以上である場合に、前記画面にクイックブラウジング制御バーを表示し、前記クイックブラウジング制御バーが、前記画面上で移動された場合に、前記ページに対するスクロール動作を実行することを含む表示制御方法を開示する。
【０００９】
本発明の他の一実施形態は、１以上のコンテンツを時系列順に整列したページに対するスクロール動作を認識するスクロール認識部、前記スクロール認識部からスクロール動作を認識し、スクロールの速度が所定の速度以上である場合に、画面上にクイックブラウジング制御バーを表示するクイックブラウジング制御バー表示部、及び前記ページの少なくとも一部を前記画面上に表示し、前記スクロール動作によって、前記ページをスクロールし、ユーザ入力によって、前記クイックブラウジング制御バーが、前記画面上で移動された場合に、それによって、前記ページに対するスクロールを行うように制御する表示制御部を含む表示制御装置を開示する。
【００１０】
本発明の他の一実施形態は、コンピュータに、前述の方法を実行させるために、媒体に保存されたコンピュータ・プログラムを開示する。
【００１１】
前述したもの以外の他の側面、特徴、利点は、以下の図面、特許請求の範囲、及び発明の詳細な説明から明確になるであろう。
【発明の効果】
【００１２】
本発明の実施形態に係る表示制御装置、表示制御方法、及びそれをコンピュータで実行するためのコンピュータ・プログラムによれば、１以上のコンテンツが時系列順に整列されて表示されるページ上で、スクロールを迅速かつ容易に実行することが可能である。
【００１３】
本発明の実施形態に係る表示制御装置、表示制御方法、及びそれをコンピュータで実行するためのコンピュータ・プログラムによれば、スクロール機能に視覚的効果を付与することが可能である。
【図面の簡単な説明】
【００１４】
【図１】本発明の一実施形態における表示制御装置を概略的に示した構成図である。
【図２】本発明の一実施形態における表示制御方法を図示したフローチャートである。
【図３】本発明の一実施形態におけるページ、及びページの一部が表示された画面を図示した例である。
【図４】本発明の一実施形態における表示制御方法を実行するための各ステップについて詳細に説明するための図面である。
【図５】本発明の一実施形態における表示制御方法を実行するための各ステップについて詳細に説明するための図面である。
【図６】本発明の一実施形態における表示制御方法を実行するための各ステップについて詳細に説明するための図面である。
【図７】本発明の一実施形態における表示制御方法を実行するための各ステップについて詳細に説明するための図面である。
【図８】本発明の一実施形態における表示制御方法を実行するための各ステップについて詳細に説明するための図面である。
【図９】本発明の一実施形態における表示制御方法を実行するための各ステップについて詳細に説明するための図面である。
【図１０】本発明の一実施形態における表示制御方法を実行するための各ステップについて詳細に説明するための図面である。
【発明を実施するための形態】
【００１５】
本発明は、多様な変更が加えられてもよく、さまざまな実施形態を有してもよいが、特定の実施形態を図面に例示し、発明の詳細な説明において詳細に説明する。本発明の効果、特徴、及びそれらを達成する方法は、図面と共に詳細に説明する実施形態を参照すれば、明確になるであろう。しかし、本発明は、以下で開示する実施形態に限定されるものではなく、多様な形態で実現される。以下の実施形態において、第１、第２のような用語は、限定的な意味ではなく、１つの構成要素を他の構成要素と区別する目的で使用されている。また、単数の表現は、文脈上明白にそれと異なる意味で使用されていない限り、複数の表現を含む。また、「含む」や「有する」というような用語は、明細書中に記載された特徴、または構成要素が存在することを意味するものであり、一つ以上の他の特徴または構成要素が付加される可能性を排除するものではない。また、図面では、説明の便宜のために、構成要素やその大きさが誇張されていたり、あるいは縮小されていたりする。例えば、図面に示された各構成要素の大きさ及び厚みは、説明の便宜のために任意に示されているものであり、本発明は、必ずしも図示された構成に限定されるものではない。
【００１６】
以下、添付の図面を参照し、本発明の実施形態について詳細に説明するが、図面を参照して説明するとき、同一であるか、あるいは対応する構成要素には、同一の図面参照符号を付し、それに関する重複説明は省略する。
【００１７】
図１は、本発明の一実施形態における表示制御装置１００を概略的に示した構成図である。
【００１８】
本発明の一実施形態によって提供される表示制御装置１００は、少なくとも１以上のプロセッサ（ｐｒｏｃｅｓｓｏｒ）であってもよく、少なくとも１以上のプロセッサを含んでもよい。それによって、表示制御装置１００は、マイクロプロセッサや汎用コンピュータシステムのような他のハードウェア装置に含まれた形態で駆動されてもよい。例えば、表示制御装置１００は、画面を表示することができる表示部を具備する端末に搭載される。
【００１９】
図１に示された表示制御装置１００は、本実施形態の特徴が不明確になることを防止するために、本実施形態に関連する構成要素のみを図示したものである。従って、図１に示された構成要素以外に、他の汎用的な構成要素がさらに含まれてもよいということは、本発明に係る技術分野における当業者であれば、理解することができるであろう。
【００２０】
図１を参照すると、本発明の一実施形態における表示制御装置１００は、端末１０の画面１１の表示を制御する。詳細には、本発明の一実施形態における表示制御装置１００は、画面１１上に表示されたページがスクロールされるとき、前記ページの表示を制御してもよい。例えば、表示制御装置１００は、１以上のコンテンツを時系列順に整列したページを表示している状態で、所定の速度以上でスクロール動作が実行される場合、画面上にクイックブラウジング制御バーを追加して表示し、当該クイックブラウジング制御バーに対するユーザ入力を介して、さらに迅速かつ便利なスクロール動作を実行できるようにしてもよい。そのような本発明の一実施形態における表示制御装置１００は、スクロール認識部１１０、クイックブラウジング制御バー表示部１２０及び表示制御部１３０を含んでもよい。
【００２１】
スクロール認識部１１０は、ユーザから入力されたスクロール動作を認識する。スクロール認識部１１０は、スクロール動作の速度、方向、位置などを認識してもよい。スクロール動作は、タッチパネルを利用したタッチ・アンド・ドラッグを介して入力されてもよく、モーション認識機能を利用して、ジェスチャ、モーションなどの動作を介して入力されてもよく、マウスのホイール、ジョイパッド（登録商標）など別途の入力装置を利用して入力されてもよく、あるいは画面に表示されたスクロールバーを操作することによって入力されてもよいが、それらに限定されるものではない。
【００２２】
クイックブラウジング制御バー表示部１２０は、スクロール認識部１１０において、スクロール動作を認識し、スクロールの速度が所定の速度以上であるならば、画面１１に、クイックブラウジング制御バー３５（図６）を表示する役割を行う。また、クイックブラウジング制御バー表示部１２０は、一定時間以上ユーザ入力がない場合、クイックブラウジング制御バーを非表示にする役割を行ってもよい。
【００２３】
表示制御部１３０は、認識されたスクロール動作に基づいて、画面１１に表示されたページをスクロールする。一方、表示制御部１３０は、クイックブラウジング制御バーの位置が画面１１上で移動されることによって、画面１１に表示されたページをスクロールする役割を行う。このとき、表示制御部１３０は、クイックブラウジング制御バーが、画面１１の中心から移動された距離に基づいて、スクロール速度を変更してもよく、例えば、クイックブラウジング制御バーの位置が、画面１１の中心から遠くなるほど、スクロール速度が速くなるように制御してもよい。すなわち、画面１１上に、クイックブラウジング制御バーが表示された状態で、ユーザが、クイックブラウジング制御バーをタッチ・アンド・ドラッグし、クイックブラウジング制御バーの位置を画面１１の中心から遠くに移動させると、クイックブラウジング制御バーの移動によって、画面１１上に表示されているページに対するスクロール動作が実行されるのである。このように、スクロールの速度まで制御可能にすることにより、さらに迅速かつ便利に、所望コンテンツにアクセスすることができるという効果を得ることができ、それにより、ユーザの便宜性が向上し、ＵＩ（ｕｓｅｒ  ｉｎｔｅｒｆａｃｅ）／ＵＸ（ｕｓｅｒ  ｅｘｐｅｒｉｅｎｃｅ）上の魅力が増進される。
【００２４】
一方、画面１１上に表示されるページには、１以上のコンテンツが日付順に整列されている。そして、前記日付順に整列された各日付別コンテンツの一側には、日付表示部３２（図４）がさらに表示されている。例えば、２０１４年４月２１日に作成（または、修正、アップデートなど）された複数のコンテンツの上端には、「２０１４年４月２１日」と表示された日付表示部が表示され、その下部に配列された２０１４年４月２０日に作成された複数のコンテンツの上端には、「２０１４年４月２０日」と表示された日付表示部が表示される。
【００２５】
このとき、表示制御部１３０は、クイックブラウジング制御バーを画面上に表示する場合、日付表示部を画面上に表示しないように制御してもよく、クイックブラウジング制御バーの表示を画面上から消した場合、日付表示部を再び画面上に表示するように制御してもよい。このように、スクロール時には、日付表示部が画面上に表示されないように制御することにより、画面上に表示される全体コンテンツの量を減らし、さらに迅速にスクロールを行い、所望するコンテンツにアクセスすることが可能になるという効果を得ることができ、それにより、ユーザの便宜性が向上し、ＵＩ／ＵＸ上の魅力が増進されるのである。
【００２６】
一方、表示制御部１３０は、クイックブラウジング制御バー内に、スクロール進行表示部３７（図６）またはスクロール日付表示部３６（図６）を表示するように制御してもよい。それについては、追ってさらに詳細に説明する。
【００２７】
一方、表示制御部１３０は、ページがスクロールされるとき、スクロールの方向によって、ページの最端部に移動するためのアイコンを、画面に追加して表示してもよい。例えば、表示制御部１３０は、ページが下から上の方向にスクロールされるとき、ページの最上端に移動するための「ｔｏｐ」アイコン（図示せず）を画面の上端に表示してもよい。前記アイコンは、スクロールが中断され、所定の基準時間が過ぎれば、自動的に非表示になるように設定される。
【００２８】
一方、表示制御部１３０は、スクロール機能以外にも、多様な表示インターフェースを提供してもよい。例えば、ユーザが、特定コンテンツ領域をクリックした状態を維持していれば、クリックされたコンテンツ領域を拡大し、当該コンテンツ領域が選択された状態であるということを表示してもよい。ただし、コンテンツ領域がクリックされた状態が、所定の臨界時間を超えれば、コンテンツ領域の拡大状態が解除される。
【００２９】
一方、表示制御部１３０は、コンテンツの移動速度、移動距離、移動時間及び移動方向のうち少なくとも一つを、スクロール動作の速度、またはそれによるページのスクロール速度によって決定してもよい。このとき、コンテンツの移動方向は、ページのスクロール方向と同一に設定される。
【００３０】
図２は、本発明の一実施形態における表示制御方法を示したフローチャートである。
【００３１】
図２に示すフローチャートは、図１に示す表示制御装置１００において、時系列順に処理される各ステップによって構成される。従って、以下で省略された内容であっても、図１に示す構成について上記した内容は、図２に示すフローチャートにも同様に適用される。
【００３２】
図２を参照すれば、本発明の一実施形態における表示制御方法は、コンテンツが時系列順に整列されたページの少なくとも一部を、画面に表示する段階（Ｓ１１０）、ページに対するスクロール動作を認識する段階（Ｓ１２０）、認識したスクロール動作の速度が、所定速度以上であるか否かを判断する段階（Ｓ１３０）、スクロール動作の速度が所定速度以上である場合、画面上に、クイックブラウジング制御バーを表示する段階（Ｓ１４０）、クイックブラウジング制御バーがユーザ入力によって移動されたか否かを判断する段階（Ｓ１５０）、クイックブラウジング制御バーがユーザ入力によって移動された場合、それによって、スクロール動作が行われる段階（Ｓ１６０）、一定時間内に、ユーザ入力が存在したか否かを判断し（Ｓ１７０）、一定時間内にユーザ入力が存在する場合、Ｓ１４０に戻り、一定時間内にユーザ入力が存在しない場合、Ｓ１１０に戻ることを含む。
【００３３】
図３は、本発明の一実施形態におけるページ、及びページの一部が表示された画面を示す一例である。
【００３４】
図３を参照すると、ページ３０は、複数のコンテンツ領域３１を含み、各コンテンツ領域３１には、コンテンツＣ１１，Ｃ１２，Ｃ１３，…，Ｃ７１，Ｃ７２，Ｃ７３，…が配置される。
【００３５】
ここで、ページ３０上には、複数のコンテンツが時系列順に整列され、また時系列順に整列されたそれらのコンテンツが日付ごとにグルーピングされて表示される。そして、整列された各日付別のコンテンツの一側には、日付表示部３２がさらに表示される。
【００３６】
図３の例では、複数のコンテンツ領域３１が一列に羅列され、ページ３０を構成するものが図示されている。そして、各コンテンツ領域３１には、各日付別のコンテンツが３列に表示されている。そして、日付別コンテンツが表示された各コンテンツ領域３１の上側には、当該日付が表示された日付表示部３２が表示されている。ここで、図面では、日付表示部３２に日付が表示されるように図示されているが、本発明の思想は、これに制限されるものではなく、コンテンツの分布頻度によって、月または年度が表示されてもよい。
【００３７】
端末１０の画面１１には、ページ３０の少なくとも一部が、表示領域３３として表示される。ユーザは、端末１０に表示されたページに対して、スクロール動作を入力し、ページをスクロールすることができる。後述する図５などでは、ユーザが画面を直接タッチしてドラッグを入力することにより、スクロール動作を入力する例を示す。
【００３８】
一方、ユーザがスクロール動作を入力することにより、ページがスクロールされると、画面１１の外に隠れていたコンテンツ領域が画面１１に表示され、そのようなスクロール動作が、所定の速度以上で実行される場合には、画面１１上に、クイックブラウジング制御バーが追加されて表示される。以下では、それについてさらに詳細に説明する。
【００３９】
図４から図１０は、本発明の一実施形態において、表示制御方法を実行する各段階について詳細に説明するための図である。
【００４０】
まず、図４を参照すると、コンテンツが時系列順に整列されたページの少なくとも一部を、画面に表示する（Ｓ１１０（図２））。前述したように、画面１１上には、複数のコンテンツＣ１１，Ｃ１２，Ｃ１３，…，Ｃ７１，Ｃ７２，Ｃ７３，…が時系列順に整列され、また時系列順に整列されたそれらのコンテンツが日付ごとにグルーピングされて表示される。そして、整列された各日付別のコンテンツの一側には、日付表示部３２がさらに表示される。
【００４１】
次に、ページに対するスクロール動作が行われ、それをスクロール認識部１１０が認識し（Ｓ１２０（図２））、認識したスクロール動作の速度が所定速度以上であるか否かを判断する（Ｓ１３０（図２））。
【００４２】
図５は、端末の画面１１上で、ユーザのタッチ・アンド・ドラッグ動作によって、ページが下から上の方向にスクロールされる過程を示したものである。このように、ユーザ入力によって、スクロールが行われる場合、それによって、画面１１がスクロールされると同時に、スクロール動作の速度が所定速度以上であるか否かを判断し、クイックブラウジング制御バーを表示させるか否かを決定するのである。
【００４３】
次に、図６に示すように、スクロール動作の速度が所定速度以上である場合、クイックブラウジング制御バー表示部１２０は、画面上にクイックブラウジング制御バー３５を表示する（Ｓ１４０（図２））。クイックブラウジング制御バー３５は、ユーザ入力を介して、画面上で移動されながら、さらに迅速かつ便利なスクロール動作を行うようにする役割を行う。
【００４４】
このとき、表示制御部１３０は、クイックブラウジング制御バー３５を、画面１１上に表示する場合、日付表示部３２を画面１１上に表示しないように制御してもよい。また、表示制御部１３０は、クイックブラウジング制御バー３５が、画面１１上に表示されない場合、日付表示部３２を再び画面１１上に表示するように制御してもよい。従って、図６の画面１１上には、日付表示部３２が表示されず、コンテンツ領域３１が一つに統合されており、画面１１の中間領域に、クイックブラウジング制御バー３５が表示されているのである。このように、スクロール時には、日付表示部を画面上に表示しないように制御することにより、画面上に表示される全体コンテンツの量を減らし、さらに迅速にスクロールを行い、所望するコンテンツにアクセスすることが可能になるという効果を得ることができ、それにより、ユーザの便宜性が向上し、ＵＩ／ＵＸ上の魅力が増進される。
【００４５】
このとき、クイックブラウジング制御バー３５内には、スクロール日付表示部３６とスクロール進行表示部３７が含まれてもよい。
【００４６】
ここで、スクロール進行表示部３７は、ページ上での現在コンテンツの位置を示すものでもよい。例えば、スクロール進行表示部３７は、プログレスバー（ｐｒｏｇｒｅｓｓ  ｂａｒ）として表示され、全体コンテンツのうち、画面上に表示されているコンテンツの時系列上の位置に応じて、プログレスバーの内部が充填されるように形成される。例えば、１００枚の写真のうち、最新の写真が画面１１上に表示されている場合、スクロール進行表示部３７の内部は空（未充填）である。そして、古い写真が画面１１上に表示されるほど、スクロール進行表示部３７の内部が徐々に充填され、最も古い写真が画面１１上に表示されている場合、スクロール進行表示部３７の内部は、すべて充填されている。その反対の場合も可能であることは言うまでもなく、さらにはプログレスバーに限られず、全体コンテンツ内での現在コンテンツの分布位置を表示することができる多様な方法が適用されてもよい。そのように、スクロール進行表示部３７を具備し、スクロール時にページ上での現在コンテンツの位置をリアルタイムで視覚的に把握することを可能にすることにより、さらに迅速かつ便利に所望するコンテンツにアクセス可能になるという効果を得ることができる。
【００４７】
一方、スクロール日付表示部３６は、現在ページ上で表示されているコンテンツの日付を表示してもよい。すなわち、現在ページ上で表示されているコンテンツが作成された日付を表示してもよい。または、コンテンツの分布頻度によって、スクロール日付表示部３６に、月または年度が表示されてもよい。
【００４８】
ここで、スクロール日付表示部３６は、ユーザ入力の位置によって、その位置が変更される。すなわち、図７に図示されているように、ユーザが、クイックブラウジング制御バー３５を移動させるために、クイックブラウジング制御バー３５の右側をタッチしてドラッグする場合、スクロール日付表示部３６は、ユーザがタッチした側の反対側、すなわち、ブラウジング制御バー３５の左側に偏って表示される。反対に、ユーザがクイックブラウジング制御バー３５を移動させるために、クイックブラウジング制御バー３５の左側をタッチしてドラッグする場合、スクロール日付表示部３６は、ユーザがタッチした側の反対側、すなわち、ブラウジング制御バー３５の右側に偏って表示される。そのように、ユーザがタッチした位置（ユーザの手の位置）に応じて、スクロール日付表示部３６の位置を変更することにより、ユーザがどこをタッチしても、現在ページ上で表示されているコンテンツの日付を正確に把握することが可能であるという効果を得ることができる。
【００４９】
次に、クイックブラウジング制御バー３５が、ユーザ入力によって移動されたか否かを判断し（Ｓ１５０（図２））、クイックブラウジング制御バー３５がユーザ入力によって移動された場合、それに応じて、スクロール動作を実行する（Ｓ１６０（図２））。すなわち、図７のように、ユーザがクイックブラウジング制御バー３５をタッチした状態で、図８のように、クイックブラウジング制御バー３５をドラッグして下方へ移動させれば、それによって、ページに対するスクロール動作が実行される。そして、このとき、クイックブラウジング制御バー３５の画面中心からの隔離距離に応じて、スクロール動作の速度が異なる。例えば、クイックブラウジング制御バー３５が、画面１１の中心から遠くに移動されるほど、スクロール速度が速くなるように制御してもよい。すなわち、画面１１上に、クイックブラウジング制御バー３５が表示された状態で、ユーザがクイックブラウジング制御バー３５をタッチ・アンド・ドラッグし、クイックブラウジング制御バーの位置を下方へ移動させれば、クイックブラウジング制御バー３５の移動によって、画面１１上に表示されているページに対するスクロール動作が速い速度で実行される。そのように、スクロールの速度まで制御可能とすることにより、さらに迅速かつ便利に所望するコンテンツにアクセスすることが可能になるという効果を得ることができ、それにより、ユーザの便宜性が向上し、ＵＩ／ＵＸ上の魅力が増進される。この状態で、ユーザがタッチを中止（中断）すれば、図９に示すように、クイックブラウジング制御バー３５は、画面１１の中心である元の位置に戻り、ページは、スクロール動作が終わった状態で維持される。
【００５０】
次に、一定時間内に、ユーザ入力が存在したか否かを判断し（Ｓ１７０（図２））、一定時間内にユーザ入力が存在する場合、Ｓ１４０に戻り、続けてクイックブラウジング制御バー３５を表示する。一方、一定時間内にユーザ入力が存在しない場合、Ｓ１１０に戻り、その場合、クイックブラウジング制御バー３５が非表示になり、図１０のように、コンテンツが時系列順に整列されたページの少なくとも一部が画面に表示される。このとき、画面１１上には、複数のコンテンツＣ８１，Ｃ８２，Ｃ８３，…，Ｃ９１，Ｃ９２，Ｃ９３，…が時系列順に整列され、また時系列順に整列されたそれらのコンテンツが日付ごとにグルーピングされて表示される。そして、整列された各日付別のコンテンツの一側には、日付表示部３２がさらに表示される。
【００５１】
そのような本発明の実施形態において、１以上のコンテンツが時系列順に整列されて表示されるページ上で、スクロールを迅速かつ容易に行うことが可能であるという効果を得ることができる。さらに、本発明の実施形態において、スクロール機能に、視覚的効果を付与することが可能であるという効果を得ることができる。
【００５２】
上述した本発明における実施形態は、コンピュータ上で多様な構成要素を介して実行されるコンピュータ・プログラムの形態で具現され、そのようなコンピュータ・プログラムは、コンピュータで読み取り可能な媒体に記録される。このとき、当該媒体は、ハードディスク、プロッピー（登録商標）ディスク及び磁気テープのような磁気媒体、ＣＤ（ｃｏｍｐａｃｔ  ｄｉｓｃ）−ＲＯＭ（ｒｅａｄ  ｏｎｌｙ  ｍｅｍｏｒｙ）及びＤＶＤ（ｄｉｇｉｔａｌ  ｖｅｒｓａｔｉｌｅ  ｄｉｓｃ）のような光記録媒体、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉｕｍ）、及びＲＯＭ、ＲＡＭ（ｒａｎｄｏｍ  ａｃｃｅｓｓ  ｍｅｍｏｒｙ）、フラッシュメモリのような、プログラム命令語を保存して実行するように特別に構成されたハードウェア装置を含んでもよい。さらに、当該媒体は、ネットワーク上で伝送可能な形態で具現される無形の媒体を含み、例えば、ソフトウェア形態またはアプリケーション形態で具現され、ネットワークを介して、伝送及び流通が可能である形態の媒体であってもよい。
【００５３】
一方、前記コンピュータ・プログラムは、本発明のために特別に設計されて構成されたものであってもよく、コンピュータソフトウェア分野の当業者に公知であって使用可能なものであってもよい。当該コンピュータ・プログラムの例としては、コンパイラによって作われるような機械語コードだけではなく、インタ−プリタなどを使用して、コンピュータによって実行される高級言語コードが含まれてもよい。
【００５４】
本発明で説明する特定の実行形態は、１つの実施形態であって、いかなる意味でも、本発明の範囲を限定するものではない。明細書の簡潔さのために、従来の電子的な構成、制御システム、ソフトウェア、前記システムの他の機能的な側面の記載は省略されている。また、図面に示された構成要素間の線の連結または連結部材は、機能的な連結及び／または物理的または回路的な連結を例示的に示したものであり、実際の装置では、代替可能であったり、あるいは追加されたりする多様な機能的な連結、物理的な連結または回路連結として示される。また、「必須である」、「重要である」というような具体的な言及がない限り、本発明の適用のために、必ずしも必要な構成要素ではない場合がある。
【００５５】
従って、本発明の思想は、上述した実施形態に限って規定されるものではなく、特許請求の範囲だけではなく、当該特許請求の範囲と均等であったり、あるいはそこから等価的に変更されたりする全ての範囲は、本発明の思想の範疇に属するものである。
【産業上の利用可能性】
【００５６】
本発明の表示制御装置、表示制御方法、及びそれをコンピュータで実行するためのコンピュータ・プログラムは、例えば、表示制御関連の技術分野に効果的に適用可能である。
【符号の説明】
【００５７】
１０        端末
１１        画面
３０        ページ
３１        コンテンツ領域
３２        日付表示部
３３        表示領域
３５        クイックブラウジング制御バー
３６        スクロール日付表示部
３７        スクロール進行表示部
１００        表示制御装置
１１０        スクロール認識部
１２０        クイックブラウジング制御バー表示部
１３０        表示制御部
【図１】
0006035384.tif 000002
【図２】
0006035384.tif 000003
【図３】
0006035384.tif 000004
【図４】
0006035384.tif 000005
【図５】
0006035384.tif 000006
【図６】
0006035384.tif 000007
【図７】
0006035384.tif 000008
【図８】
0006035384.tif 000009
【図９】
0006035384.tif 000010
【図１０】
0006035384.tif 000011